(57)【要約】【課題】透明板に印刷された画像を簡便に且つ人目を引き付ける態様で表示する。【解決手段】２つの透明板を重ねて設け、一方の透明板の表面には透明インクを用いて表示画像を印刷し、他方の透明板の表面には透明インクを用いて追加画像を印刷しておく。表示画像が印刷された透明板（表示画像透明板）の端面から光を入射して、表示画像を光らせる。追加画像が印刷された透明板（追加画像透明板）についても同様に、端面から光を入射して、追加画像を光らせる。そして表示画像を光らせて表示している間も、追加画像を光らせたり、消したりすることができる。その結果、表示画像を表示した後も、追加画像が表示されたり、消えたりするので、人目を引き付けておくことが可能となる。また、追加画像を表示するための構成を加えるだけで良いので、依然として簡便に画像を表示することができる。【選択図】図２
2010054698.tif 000002
【特許請求の範囲】
【請求項１】
所定の画像を表示する表示装置であって、
表示しようとする画像である表示画像が、透明な板状部材の表面に透明インクを用いて形成された表示画像透明板と、
前記表示画像に加えて表示される追加画像が前記透明インクを用いて表面に形成されているとともに、前記表示画像板に対して所定以上の間隔が確保された状態で重ねて設けられた透明な板状部材である追加画像透明板と、
前記表示画像透明板の端面から該表示画像透明板の内部に光を入射する表示画像光入射部と、
前記追加画像透明板の端面から該追加画像透明板の内部に光を入射する追加画像光入射部と
を備え、
前記追加画像光入射部は、前記表示画像光入射部が前記表示画像透明板に光を入射している間も、前記追加画像透明板に対して光の入射開始と光の入射停止とが可能な入射部である表示装置。
【請求項２】
請求項１に記載の表示装置であって、
前記表示画像透明板は、
前記表示画像を分版して得られた赤色成分の画像、緑色成分の画像、青色成分の画像の各々を、３枚の透明な板状部材の表面に透明インクで印刷した後、
それら板状部材を、互いに所定以上の間隔が確保された状態で重ねることによって形成された透明板であり、
前記表示画像光入射部は、
前記赤色成分の画像が印刷された前記板状部材には、該板状部材の端面から赤色光を入射し、
前記緑色成分の画像が印刷された前記板状部材には、該板状部材の端面から緑色光を入射し、
前記青色成分の画像が印刷された前記板状部材には、該板状部材の端面から青色光を入射する光入射部である表示装置。
【請求項３】
請求項１または請求項２に記載の表示装置であって、
前記追加画像光入射部は、赤色光と緑色光と青色光とを同時に入射可能であるとともに、各色光の強さを変更可能な光入射部である表示装置。
【発明の詳細な説明】
【技術分野】
【０００１】
本発明は、透明な表示板に文字や図形などの画像を表示する表示装置に関する。
【背景技術】
【０００２】
透明な表示板上に文字や図形などを形成しておき、光を用いて、これら画像を表示する技術は、種々の技術が提案されている。その多くのものは、表示板の背面側から光を照射することで、表示板に形成された文字や図形を表示しようとする技術である。
【０００３】
これに対して、透明な表示板の表面に略三角形断面の溝を掘って図形を描いておき、表示板の側面から表示板内に光を導入することによって、文字や図形を浮き上がらせて表示しようとする技術も提案されている（特許文献１）。
【０００４】
このような提案されている技術によれば、透明な表示板の側面から光を導入するために、背面から光を照射する方法に較べて表示部分を薄くすることが可能であり、また、いわゆる液晶画面を用いる方法に較べて遙かに簡単に文字や、図形、画像などを表示することが可能である。
【０００５】
【特許文献１】特許第３８６４３４２号公報
【発明の開示】
【発明が解決しようとする課題】
【０００６】
しかし、提案されている技術では、表示板の表面に溝を掘って図形を描いておく必要があり、このような図形を描くことはそれほど容易ではない。そこで、本願の発明者は、光の散乱微粒子を分散させた透明なインクを用いて、透明な表示板の表面に画像を印刷し、表示板の端面から光を導入することによって画像を表示する技術を開発して、既に出願済みである。かかる出願中の技術を用いれば、透明なインクで画像を印刷するだけでよいので、より簡単に画像を表示させることができる。また、透明板の表面に透明なインクによって印刷された透明な画像が、光を導入することで浮き上がるように表示することが可能となる。もっとも、このようにして画像を表示した後は、光によって画像が浮かび上がっているだけなので、特に人目を引き易いわけではないという問題があった。
【０００７】
この発明は、上述した課題に対応してなされたものであり、透明な表示板に印刷された画像を簡便に表示可能でありながら、画像を表示した後であっても、容易に人目を引き付けることが可能な態様で表示する技術の提供を目的とする。
【課題を解決するための手段】
【０００８】
上述した課題の少なくとも一部を解決するために、本発明の表示装置は次の構成を採用した。すなわち、
所定の画像を表示する表示装置であって、
表示しようとする画像である表示画像が、透明な板状部材の表面に透明インクを用いて形成された表示画像透明板と、
前記表示画像に加えて表示される追加画像が前記透明インクを用いて表面に形成されているとともに、前記表示画像板に対して所定以上の間隔が確保された状態で重ねて設けられた透明な板状部材である追加画像透明板と、
前記表示画像透明板の端面から該表示画像透明板の内部に光を入射する表示画像光入射部と、
前記追加画像透明板の端面から該追加画像透明板の内部に光を入射する追加画像光入射部と
を備え、
前記追加画像光入射部は、前記表示画像光入射部が前記表示画像透明板に光を入射している間も、前記追加画像透明板に対して光の入射開始と光の入射停止とが可能な入射部であることを要旨とする。
【０００９】
このような本発明の表示装置においては、表示画像透明板も、追加画像透明板も、透明な板状部材の表面に透明インクによる画像が印刷されているだけなので、そのままの状態（光を入射しない状態）では単なる透明板のようにしか見えず、透明インクによる画像が印刷されていることには気が付き難い。そして、このような表示画像透明板と追加画像透明板とが重ねて設けられていても、２つの透明板が重ねて設けられていることには気が付き難い。しかし、表示画像光入射部から表示画像透明板の内部に光を入射すると、透明板の内部を伝播した光が透明インクの部分で乱反射する結果、表示画像透明板の表面に透明インクで印刷された表示画像が浮かび上がって表示される。同様に、追加画像光入射部から追加画像透明板の内部に光を入射すると、追加画像透明板の表面に透明インクで印刷された追加画像が浮かび上がって表示される。ここで、表示画像光入射部が光を入射して表示画像を表示している間も、追加画像光入射部は、光の入射を開始して追加画像を表示したり、光の入射を停止して追加画像を消したりすることが可能となっている。また、表示画像透明板と追加画像透明板との間には、所定以上の間隔が確保されているので、表示画像の表示には全く影響を与えることなく、追加画像だけを表示したり消したりすることが可能である。
【００１０】
このようにしておけば、透明な表示画像透明板から浮き上がるようにして表示画像を表示した後も、追加画像光入射部から光を入射することで、表示画像が表示された状態から更に追加画像を浮かび上がるように表示させたり、表示された追加画像を消したりすることができる。しかも、追加画像は透明インクで印刷されているため、追加画像光入射部から光を入射しなければ追加画像の存在には気が付かないから、追加画像光入射部から光を入射すると、何もないところから追加画像が浮き上がって来たような印象を与える。また、光の入射を停止すると、表示画像はそのままで、追加画像だけが掻き消えたような印象を与えることができる。このため、表示画像を表示した後も、追加画像を表示したり、表示を停止したりすることで、人目を引き付けておくことが可能となる。更に、こうしたことを実現するためには、表示画像を表示するための構成（表示画像透明板および表示画像光入射部）に加えて、追加画像を表示するための構成（追加画像透明板および追加画像光入射部）を加えて、表示画像光入射部とは別個に、追加画像光入射部のＯＮ／ＯＦＦを可能にしておけばよい。このため、依然として簡便に画像を表示することが可能である。
【００１１】
尚、表示画像あるいは追加画像を印刷する透明インクは、無色の透明なインクであることが望ましい。こうすれば、たとえ透明板が、僅かに色を帯びた透明板であった場合でも、表示画像あるいは追加画像が印刷されていることを、ほとんど目立たなくすることができる。もちろん、透明インクは必ずしも無色透明である必要はなく、透明板と同じ系統の色であれば、僅かに色が付いた透明インクであっても良い。透明板が色を帯びている場合、同じ系統の色であれば、透明インクも僅かに色を帯びていても、表示画像あるいは追加画像が印刷されていることを、ほとんど目立たなくすることができる。
【００１２】
また、本発明の表示装置では、表示画像透明板を次のように構成しても良い。先ず、表示画像を、赤色成分の画像、緑色成分の画像、青色成分の画像に分版する。ここで「分版」とは、カラー画像を、光の三原色に対応する赤色成分（Ｒ成分）、緑色成分（Ｇ成分）、青色成分（Ｂ成分）の成分毎の画像に分解することをいう。また、いわゆる白黒画像であっても、Ｒ成分、Ｇ成分、Ｂ成分を用いて表現することができるから、分版することができる。次に、分版して得られた各色成分の画像を、３枚の透明な板状部材の表面に透明インクで印刷し、それら板状部材を互いに所定以上の間隔が確保された状態で重ねることによって、表示画像透明板を形成する。そして、赤色成分の画像が印刷された板状部材の端面から赤色光を入射し、緑色成分の画像が印刷された板状部材の端面から緑色光を入射し、青色成分の画像が印刷された板状部材の端面から青色光を入射するようにしてもよい。
【００１３】
板状部材の端面から赤色光が入射された場合には、その板状部材の表面に透明インクで印刷された画像は赤色に光って表示され、緑色光が入射された場合には、緑色に光って表示され、更に、青色光が入射された場合には、青色に光って表示される。従って、表示画像を赤色画像、緑色画像、青色画像に分版して、それぞれの画像を赤色、緑色、青色に光らせれば、分版する前のフルカラーの状態で、表示画像を表示することができる。そして、フルカラーの表示画像が表示された状態で、追加画像が浮かび上がるように表示したり、掻き消したりすることで、たいへんに人目を引き付け易い状態で画像を表示することが可能となる。
【００１４】
また、上述した本発明の表示装置においては、追加画像透明板の端面から光を入射する追加画像光入射部を、次のような入射部としても良い。すなわち、赤色光と緑色光と青色光とを同時に入射可能であるとともに、各色光の強さを変更可能な光入射部としてもよい。
【００１５】
追加画像透明板の表面に印刷されている追加画像は、透明インクで印刷されているため、端面から入射された光と同じ色で、光って表示される。このことから、赤色光と緑色光と青色光とを同時に入射し、各色光の強さを変更可能としておけば、単に追加画像を表示したり消したりするだけでなく、追加画像の色を変更することが可能となる。その結果、表示画像を浮き上がるように表示した後も、常に人目を引き付け易い態様で表示しておくことが可能となるので好ましい。
【発明を実施するための最良の形態】
【００１６】
以下では、上述した本願発明の内容を明確にするために、次のような順序に従って実施例を説明する。
Ａ．装置構成：
Ｂ．画像の表示原理：
Ｃ．変形例：
Ｃ−１．第１の変形例：
Ｃ−２．第２の変形例：
【００１７】
Ａ．装置構成  ：
図１は、本実施例の表示装置１００の大まかな構成を示した説明図である。図示されているように、本実施例の表示装置１００は、大きくは、画像が表示される表示部１１０と、表示部１１０が立設されるベース部１５０とから構成されている。詳細な構造については後述するが、表示部１１０は、アクリル板やガラス板などの透明な複数枚の板状部材（透明板）が重ねられて構成されており、各透明板の表面には、透明インクによって画像が印刷されている。この透明インクには光を散乱させるための微粒子が僅かに混入されている。しかし、透明板の上に透明インクで画像が印刷されているだけなので、注意深く観察しない限り、表示部１１０に、透明インクによる画像が印刷されていることには気が付かないようになっている。
【００１８】
このような表示部１１０を、ベース部１５０の上面に設けられた溝に装着する。ベース部１５０の構造についても後述するが、溝の底部には、発光ダイオード（以下、ＬＥＤ）などの複数の発光体が設けられており、表示部１１０をベース部１５０に装着すると、表示部１１０の端面が、複数の発光体と向き合う位置に来るようになっている。
【００１９】
図１には、表示部１１０がベース部１５０の溝に装着された状態が示されている。ベース部１５０に装着しただけでは、表示部１１０は単なる透明な板にしか見えないが、ベース部１５０に設けられた操作スイッチ１５２を操作すると、表示部１１０を構成する透明板の表面に透明インクで印刷されていた画像が光って、浮かび上がるように表示される。表示部１１０の表面に透明インクで印刷された画像が、浮き上がるように光って表示されるメカニズムについては後述する。
【００２０】
図１（ａ）は、表示部１１０をベース部１５０に装着しただけで、画像を表示する前の状態を表している。また、図１（ｂ）は、表示部１１０をベース部１５０に装着した後、操作スイッチ１５２を操作して画像１２２を表示した状態を表している。このように、単なる透明な板のように見える表示部１１０の中から、画像１２２が光って浮かび上がるように表示されるので、たいへんに印象的な態様で画像を表示することができる。もっとも、一旦、画像１２２を表示した後は、光によって画像１２２が浮き上がって表示されているだけなので、画像１２２を表示する時のように人目を引き付けられるわけではない。
【００２１】
しかし、本実施例の表示装置１００では、表示部１１０に画像１２２を表示したままで、更に追加の画像１２４を表示したり、追加の画像１２４だけ表示を止めたりすることが可能となっている。もちろん、追加の画像１２４を表示したまま、画像１２２のみ、表示を止めることも可能である。尚、以下では、追加の画像１２４と区別する意味で、画像１２２を表示画像１２２と称し、これに合わせて追加の画像１２４は追加画像１２４と称することにする。図１（ｃ）には、表示画像１２２を表示した状態で、更に追加画像１２４を表示した様子が例示されている。図１（ｃ）に例示されるように、表示画像１２２を表示した後も、追加画像１２４を表示したり、表示を止めたりすることで、人目を引き付けておくことができる。しかも、追加画像１２４は透明インクで印刷されており、非表示の状態では、ほとんど気付かれないことから、追加画像１２４を表示すると、何もないところから追加画像１２４が浮き上がって来たような印象を与え、逆に追加画像１２４の表示を止めると、追加画像１２４が掻き消えたような印象を与えることができる。このため、表示画像１２２を表示した後も、非常に印象深い態様で表示を続けることが可能となっている。以下では、こうしたことを実現する表示部１１０、およびベース部１５０の構造について説明する。
【００２２】
図２は、本実施例の表示装置１００で用いられている表示部１１０の大まかな構造を示した説明図である。図示されているように、本実施例の表示部１１０は、アクリル板やガラス板などの透明な板状部材（透明板）を、複数枚（ここでは、２枚）重ね合わせて構成されており、それぞれの透明板の表面には、透明インクを用いて表示画像１２２と、追加画像１２４とがそれぞれ印刷されている。以下では、表示画像１２２が印刷された透明板を表示画像透明板１１２と称し、追加画像１２４が印刷された透明板を追加画像透明板１１４と称することにする。図２に示した例では、表示画像透明板１１２の表面には、クリスマスツリーの表示画像１２２が、透明インクによって印刷されている。また、追加画像透明板１１４の表面には、「Ｍｅｒｒｙ！Ｘｍａｓ！」の文字を表す追加画像１２４が、透明インクによって印刷されている。この透明インクには、光を散乱させるための微粒子が僅かに混入されているが、透明板の上に透明インクで画像が印刷されているだけなので、注意深く観察しない限り、これら表示画像１２２や追加画像１２４が印刷されていることに気付くことはない。
【００２３】
また、表示画像透明板１１２と追加画像透明板１１４とが互いに向き合う表面の何れか一方には、小さな突起１１６が形成されている。このため、表示画像透明板１１２と、追加画像透明板１１４とを重ねた時に、突起１１６の高さ分の隙間が確保されて、互いに向き合う表面同士が接触しないようになっている。詳細な理由については後述するが、このように表示画像透明板１１２の表面と追加画像透明板１１４の表面とが接触しないように隙間を確保しておくことで、表示画像１２２を光らせて表示したことで追加画像１２４もぼんやりと光ってしまったり、逆に、追加画像１２４を表示したことで表示画像１２２もぼんやりと光ってしまったりすることを回避することが可能となっている。尚、本実施例の表示部１１０では、突起１１６は、紫外線によって硬化する透明なＵＶインクを用いて、表示画像透明板１１２の表面に印刷することによって形成されている。もちろん、このような方法に限らず、小さな部材を接着することによって突起１１６を形成してもよい。あるいは、小さな突起１１６に代えて、細い線状の部材を設けることにより、表示画像透明板１１２の表面と追加画像透明板１１４の表面とが接触しないように隙間を確保するようにしてもよい。
【００２４】
こうして表示画像透明板１１２と追加画像透明板１１４とを重ねた状態で、薄い透明な測板１１８を測端面（図２では、図示を省略）に貼り付けることにより、表示画像透明板１１２と追加画像透明板１１４とが離れないように固定されて、表示部１１０が形成されている。
【００２５】
図３は、本実施例の表示装置１００で用いられているベース部１５０の大まかな構造を示した説明図である。尚、図３では、理解の便宜を図って、ベース部１５０の一部を破った状態で表示してある。また、ベース部１５０に装着される表示部１１０も一部を表示してある。更に、図３の表示部１１０には、表示画像透明板１１２と追加画像透明板１１４とが離れないように、測端面に貼り付けられた測板１１８も示されている。
【００２６】
図３に示されているように、ベース部１５０は、大まかには直方体の形状となっている。頂面のほぼ中央には、表示部１１０が装着される溝１５４が形成されており、溝１５４の底部には、複数の発光ダイオード（以下、ＬＥＤ）が２本の列状に設けられている。ここで、ＬＥＤが列状に設けられた本数が２本となっているのは、本実施例の表示部１１０には、表示画像透明板１１２および追加画像透明板１１４の２枚の透明板から構成されていることに対応している。そして、ベース部１５０の溝１５４に表示部１１０を装着した時に、表示画像透明板１１２の端面の位置と、追加画像透明板１１４の端面の位置とに１本ずつ、ＬＥＤの列が設けられている。以下では、表示画像透明板１１２の端面と向かい合う位置に設けられたＬＥＤを表示画像ＬＥＤ１６２と称し、追加画像透明板１１４の端面と向かい合う位置に設けられたＬＥＤを、追加画像ＬＥＤ１６４と称することにする。尚、ここでは、表示画像ＬＥＤ１６２のＬＥＤは、白色の光を放射する白色ＬＥＤであり、追加画像ＬＥＤ１６４のＬＥＤは、赤色の光を放射する赤色ＬＥＤであるものとして説明するが、これに限らずどのようなＬＥＤを用いても良い。あるいは、異なる色の光を放射する種々のＬＥＤを混在させて用いることもできる。更には、ＬＥＤに限らず、豆電球など、他の発光体を用いてもよい。
【００２７】
図４は、表示部１１０をベース部１５０の溝１５４に装着した時の、表示画像透明板１１２および追加画像透明板１１４の端面と、表示画像ＬＥＤ１６２および追加画像ＬＥＤ１６４との位置関係を示した説明図である。図示されるように、ベース部１５０の溝１５４に表示部１１０を装着すると、表示画像透明板１１２の端面と向かい合う位置に、表示画像ＬＥＤ１６２が設けられ、追加画像透明板１１４の端面と向かい合う位置に追加画像ＬＥＤ１６４が設けられている。このため、表示部１１０をベース部１５０に装着した状態で、表示画像ＬＥＤ１６２を点灯させると、表示画像ＬＥＤ１６２から放射された光が表示画像透明板１１２の内部に入射され、追加画像ＬＥＤ１６４を点灯させると、追加画像ＬＥＤ１６４から放射された光が追加画像透明板１１４の内部に入射されることになる。そして、表示画像透明板１１２あるいは追加画像透明板１１４の内部に入射された光は、以下に説明するメカニズムによって透明板の中を伝播した後、透明インクで印刷された表示画像１２２あるいは追加画像１２４を光らせる。その結果、表示部１１０に浮かび上がるように画像が表示されることになる。
【００２８】
Ｂ．画像の表示原理  ：
図５は、表示部１１０を構成する表示画像透明板１１２あるいは追加画像透明板１１４の端面から光を入射することで、表面に透明インクで印刷された表示画像１２２や追加画像１２４が浮かび上がるように表示される原理を示した説明図である。図４に示したように、表示部１１０をベース部１５０の溝に装着して、表示画像ＬＥＤ１６２あるいは追加画像ＬＥＤ１６４を点灯すると、表示画像ＬＥＤ１６２あるいは追加画像ＬＥＤ１６４から放射された光が、表示画像透明板１１２あるいは追加画像透明板１１４の端面から内部に入射される。尚、以下では、説明が煩雑となることを避けるために、表示画像透明板１１２および追加画像透明板１１４をまとめて、単に透明板１１２，１１４と表記することにする。また、表示画像透明板１１２および追加画像透明板１１４の表面に印刷された表示画像１２２、追加画像１２４をまとめて、単に画像１２２，１２４と表記する。更に、表示画像ＬＥＤ１６２および追加画像ＬＥＤ１６４をまとめて、単にＬＥＤ１６２，１６４と表記する。
【００２９】
ＬＥＤ１６４，１６４から放射されて、透明板１１２，１１４の端面から内部に入射された光は、透明板１１２，１１４の内部を進行し、そして大部分の光は、透明板１１２，１１４の表面と浅い角度で交差する。このように浅い角度で透明板１１２，１１４の表面に達した光は、表面から透明板１１２，１１４の外部に透過することなく、全ての光が表面で反射して、再び透明板１１２，１１４の内部を進行する。そして反対側の表面に浅い角度で達した後、反対側の表面で全ての光が反射して、再び透明板１１２，１１４の内部を進行する。ＬＥＤ１６２，１６４から放射されて透明板１１２，１１４の端面から入射した大部分の光は、こうして透明板１１２，１１４の表面で反射を繰り返しながら、透明板１１２，１１４の内部を伝播していく。このような現象は、光の屈折の一態様として現れる現象であり、「完全反射」と呼ばれることがある。本実施例の表示装置１００では、この完全反射と呼ばれる現象を利用して透明な透明板１１２，１１４の内部で光を伝播させて、透明インクで印刷された画像を浮かび上がらせている。そこで、完全反射と呼ばれる現象について、簡単に説明しておく。
【００３０】
図５（ｂ）は、光が屈折する様子を概念的に示した説明図である。光の屈折は、屈折率の異なる２つの媒質の境界面を光が通過しようとするときに生じる現象であり、「スネルの法則」としてまとめられている。ここで屈折率とは、媒質中での光の通り易さに関連する物性値である。スネルの法則によれば、ある屈折率の媒質中を進行している光が、異なる屈折率を有する媒質との境界面に達すると、一部の光は境界面で反射し、残りの光は境界面を通過して異なる屈折率の媒質中を進行する。このとき、境界面で反射する光は、境界面に光が入射する角度（入射角θi ）と境界面から光が反射する角度（反射角θr ）とが等しくなる方向に反射する。ここで、入射角θi は、通常、境界面から法線を立てて、法線と境界面に入射する光（入射光）の進行方向との間の角度によって表され、反射角θr は、境界面の法線と境界面で反射した光（反射光）の進行方向とのなす角度によって表されている。
【００３１】
また、異なる屈折率の媒質中を進行する光（透過光）の進行方向は、上流側の媒質の屈折率をｎ1 、下流側の媒質の屈折率をｎ2 とし、下流側の媒質中を進行する透過光の角度（透過角度θt ）とすると、
ｎ1 ・ｓｉｎθi ＝ｎ2 ・ｓｉｎθt 
を満足するような透過角度θt の方向に、下流側の媒質中を進行する。ここで、透過角度θt は、屈折率の異なる媒質間の境界面の法線と、透過光の進行方向との間の角度によって表されている。図３（ｂ）には、このようなスネルの法則に従って、入射光の一部が反射するとともに、残りの光が透過光として、異なる媒質中を進行する様子が概念的に示されている。例えば、アクリル樹脂の板の中を進行している光が樹脂の表面に達すると、スネルの法則によって、表面部分で進行方向が曲げられた後に、空気中を進行することになる。ここで、アクリル樹脂の屈折率は約１．５、空気の屈折率は約１．０であり、屈折率の高い媒質から低い媒質中に侵入する場合に相当するから、空気中に入った透過光は、境界面（すなわち、アクリル樹脂の表面）に近付く方向に進行方向が曲げられて、空気中を進行することになる。また逆に、空気中を進行する光がアクリル樹脂内に侵入する場合のように、屈折率の低い媒質から高い媒質中に侵入する場合は、境界面から離れる方向に、光の進行方向が曲げられることになる。
【００３２】
上述したスネルの法則から、屈折率の高い媒質中を進行していた光が屈折率の低い媒質との境界に達した場合には、全ての光が反射するような特別な条件が存在していることが分かる。すなわち、上述したように、屈折率の高い媒質から低い媒質中に光が進行する場合、下流側の媒質中を進行する光は、入射してきた方向に対して、若干、境界面の側に進行方向が曲げられる。従って、境界面に入射する光の角度を次第に寝かせて（入射角θi を大きくして）いくと、境界面の向こう側に透過した光の向きは、スネルの法則によって境界面に近付く方向に曲げられるので、ある入射角θi に達した時点で透過光の進行方向が境界面と平行になってしまう。このような状態は、下流側の媒質中に光が侵入できない状態である。更に、この入射角θi よりも寝かせて（大きな角度入射角θi で）境界面に光が入射すると、全ての光が境界面で反射してしまうことを意味している。図３（ｃ）には、このような状態が概念的に示されている。また、このような状態（透過光の進行方向が境界面と平行になる状態）となる入射角θi は、臨界角θc と呼ばれている。
【００３３】
これに対して、屈折率の低い媒質中から屈折率の高い媒質中に光が進行しようとする場合には、境界面を透過した光は、スネルの法則によって境界面から遠ざかる方向に曲げられる。このため、透過光の進行方向が境界面と平行になる状態は起こり得ず、臨界角θc は存在しない。
【００３４】
以上に説明したように、屈折率の高い媒質中から低い媒質中に光が出ようとする場合には、臨界角θc を考えることができ、境界面に対して臨界角θc よりも大きな角度で（すなわち、境界面に対して寝かせて）光が入射すると、全ての光が境界面で反射してしまい、屈折率の低い媒質中に出ていくことができなくなる。本明細書中では、このような条件を、「完全反射の条件」と呼ぶことにする。ちなみに、アクリル樹脂（屈折率は約１．５）内から空気（屈折率は約１．０）中に光が出ようとする場合には、臨界角θc は約４２度となる。
【００３５】
本実施例の表示装置１００では、上述した完全反射の条件を利用することにより、ＬＥＤ１６２，１６４からの光を、透明板１１２，１１４の表面に透明インクで画像１２２，１２４が印刷された箇所まで効率よく導いて、透明インクの中に分散された微粒子１２２ｐ，１２４ｐを光らせている。すなわち、透明板１１２，１１４は、アクリル樹脂あるいはガラスなどの透明材料によって形成されているが、これらの材料は何れも、空気よりは屈折率が大きな媒質である。また、透明板１１２，１１４の端面から光を入射すると、入射された光の大部分は、透明板１１２，１１４の表面に対して浅い角度で（大きな入射角で）進行する。結局、端面から入射した光の中で、透明板１１２，１１４の表面に対して臨界角θc よりも大きな入射角で入射した光については完全反射の条件が成り立つこととなって、その結果、端面から入射した光の多くは透明板１１２，１１４の表面で反射を繰り返しながら、透明板１１２，１１４の内部を進行していくことになる。
【００３６】
図５（ａ）には、透明板１１２，１１４の端面から入射した光が、透明板１１２，１１４の表面で反射を繰り返しながら内部を進行していく様子を、太い破線あるいは太い一点鎖線の矢印によって表されている。尚、端面の近傍では、臨界角θc よりも小さな角度で（すなわち、表面に対して垂直に近い方向から）、透明板１１２，１１４の表面に入射する光も存在する。図５（ａ）中に細い二点差線で示した矢印は、臨界角θc よりも小さな角度で、透明板１１２，１１４の表面に入射する光を例示したものである。このような光については、完全反射の条件が成り立たないので、光の一部は透明板１１２，１１４の表面を透過して空気中に進行し、残りの光は透明板１１２，１１４の内部に反射する。反射した光は透明板１１２，１１４の内部を通過して反対側の表面に達するが、反対側の表面でも完全反射の条件は成り立っていないので、この表面でも一部の光は空気中に進行し、残りの光は反射して再び透明板１１２，１１４の内部を通過する。完全反射の条件を満たさない光は、こうしたことを繰り返しながら減衰するため、端面から少し進行するまでにほとんど消滅してしまう。そして、それより先の領域では、完全反射の条件を満たした光のみが、透明板１１２，１１４の内部を進行することになる。
【００３７】
こうして透明板１１２，１１４の内部を進行した光は、やがて透明板１１２，１１４の表面に透明インクで画像１２２，１２４が印刷された箇所に到達する。透明インクの材質は、透明板１１２，１１４の材質とは違うので、屈折率も完全には一致していないが、透明板１１２，１１４と空気との違いに比べれば、透明板１１２，１１４と透明インクのインク層とでは、屈折率が大きく異なることはない（実際には、透明板１１２，１１４の屈折率よりも若干大きく、例えば表示部１１０がアクリル材料で形成されている場合であれば、アクリルの屈折率である約１．５に対して、１．６程度の屈折率であることが望ましい）。このため、透明板１１２，１１４の内部を伝播して、透明インクによる画像１２２，１２４が印刷された箇所（インク層）に達した光は、ほとんど進行方向を曲げられることなく、そのまま境界面を通過して、インク層の内部を進行する。
【００３８】
ここで、画像の印刷には、僅かに微粒子が分散された透明インクが用いられている。このため、図５（ａ）に示されているように、透明板１１２，１１４の表面に透明インクで印刷された画像１２２，１２４のインク層にも、僅かに微粒子１２２ｐ，１２４ｐが分散した状態となっている。従って、透明板１１２，１１４の内部から画像１２２，１２４のインク層内に侵入して、インク層のない部を進行する光の一部は、微粒子１２２ｐ，１２４ｐに衝突して周囲に散乱する。インク層には、光散乱微粒子１２２ｐ，１２４ｐが均一に分散しているため、透明インクで印刷された画像１２２，１２４全体が明るく光って表示されることになる。また、以上の説明から明らかなように、透明インク内に微粒子を分散させる濃度を上げれば、透明インクで印刷された画像を、より明るく光らせることも可能となる。図５（ａ）には、画像１２２，１２４のインク層を進行する光が、微粒子１２２ｐ，１２４ｐに衝突して散乱する様子が、太い破線の矢印、あるいは太い一点鎖線の矢印によって表示されている。
【００３９】
一方、微粒子１２２ｐ，１２４ｐに衝突しなかった光は、そのまま画像１２２，１２４のインク層の内部を進行して、インク層の表面に到達する。上述したように、透明インクによるインク層の屈折率と透明板１１２，１１４の屈折率とはほぼ同じであるから、インク層の表面でもほぼ完全反射の条件が成立する。このため、インク層の表面に到達した光は、表面で完全反射した後、インク層の内部を進行し、更に、透明板１１２，１１４の中へと戻っていく。図５（ａ）には、画像１２２，１２４のインク層の表面で完全反射した後、再び透明板１１２，１１４の中へと光が戻っていく様子が、細い破線の矢印によって表示されている。
【００４０】
本実施例の表示装置１００は、以上のようにして、透明板１１２，１１４に印刷された画像１２２，１２４のインク層の微粒子１２２ｐ，１２４ｐを光らせることによって、画像を表示している。ＬＥＤ１６２，１６４から放射された光が透明板１１２，１１４の内部を伝播していても、そのことは見えないから、観察者にはあたかも画像１２２，１２４自体が光を発しているように見える。しかも、ＬＥＤ１６２，１６４を点灯させていない場合は、表示部１１０は、注意深く観察しない限り、単なる透明な板にしか見えないから、透明な板の中から光って画像が浮き上がってきたような、たいへんに印象深い表示を行うことが可能となるのである。
【００４１】
また、本実施例では、表示画像ＬＥＤ１６２は白色の光を放射する白色ＬＥＤが用いられ、追加画像ＬＥＤ１６４は赤色の光を放射する赤色ＬＥＤが用いられているから、表示画像透明板１１２の表面に透明インクで印刷された画像（表示画像）１２２は、白色に光って表示され、追加画像透明板１１４の表面に透明インクで印刷された画像（追加画像）１２４は、赤色に光って表示されることになる。
【００４２】
ここで、複数の透明板（ここでは、表示画像透明板１１２および追加画像透明板１１４）を重ねる時に、透明板１１２，１１４の表面同士が接触してはいけない理由について説明する。仮に、透明板１１２，１１４の表面同士が接触している箇所が存在すると、一方の透明板の内部を伝播してきた光が、接触している箇所から隣の透明板の中に侵入してしまい、隣の透明板に印刷された画像を光らせてしまう。例えば、表示画像ＬＥＤ１６２を点灯させて、表示画像透明板１１２の表示画像１２２を光らせた時に、表示画像ＬＥＤ１６２からの光が追加画像透明板１１４の内部に侵入して、追加画像１２４もぼんやりと光らせてしまう。逆に、追加画像ＬＥＤ１６４を点灯させた時にも、追加画像ＬＥＤ１６４からの光が表示画像透明板１１２の内部に侵入して、表示画像１２２をぼんやりと光らせてしまうことになる。特に、本実施例のように、一方の表示画像ＬＥＤ１６２と他方の追加画像ＬＥＤ１６４とで放射する光の色が異なっていると、ぼんやりと光る画像は本来の色とは異なった色で光ることになるので、更に事態を悪化させる。このように、透明板１１２，１１４の表面同士が接触している箇所が存在すると、それぞれの透明板１１２，１１４に透明インクで印刷された画像１２２，１２４を、完全に別々に表示させることができなくなってしまう。
【００４３】
また、透明板１１２，１１４の表面同士が接触していると、その周辺には透明板１１２，１１４の表面同士の間隔が光の波長と同程度となる領域が発生し、この部分で光の干渉によってニュートンリングと呼ばれる縞模様が発生することがある。このような縞模様は意図しない邪魔な縞模様であり、画像の表示品質を大きく悪化させることがある。これらの理由から、複数枚の透明板１１２，１１４を重ね合わせる際には、それら透明板１１２，１１４の表面同士が接触しないようにしておくことが重要となる。そこで、本実施例の表示部１１０では、互いに向かい合う表面の何れか一方の表面に、小さな突起１１６を形成しておくことで、隣接する透明板１１２，１１４の間に、突起１１６の高さに相当する隙間を確保しているのである。
【００４４】
尚、透明板１１２，１１４の表面に透明インクによる画像１２２，１２４を印刷する場合に限らず、透明インクによる画像１２２，１２４を印刷した透明シートを、透明板１１２，１１４の表面に貼り付けた場合にも、同様の現象によって、画像を光らせることができる。すなわち、透明シートの屈折率は、透明板１１２，１１４の屈折率とほぼ同じであるから、透明板１１２，１１４の内部を進行する光にとっては、透明シートも透明板１１２，１１４も大きな違いはない。このため、透明シートが貼り付けられている部分に到達すると、そのまま直進して、透明シートの表面に到達し、表面に透明インクによる画像１２２，１２４が印刷されていれば、上述した原理によって画像を光らせることができる。
【００４５】
以上に説明したように、本実施例の表示装置１００では、透明板１１２，１１４を重ねて形成した表示部１１０をベース部１５０に装着して、透明板１１２，１１４の端面から光を入射することで、透明インクで印刷された画像１２２，１２４を光らせて、浮き上がるように表示することが可能となっている。このとき、表示画像透明板１１２と追加画像透明板１１４との間には、突起１１６によって隙間が確保されているので、表示画像ＬＥＤ１６２を点灯させれば、表示画像透明板１１２に印刷された表示画像１２２のみを光らせて表示することができ、追加画像ＬＥＤ１６４を点灯させれば、追加画像透明板１１４に印刷された追加画像１２４のみを光らせて表示することができる。このため、図１（ａ）に示したように、表示部１１０に何も表示されておらず、単なる透明な板にしか見えない状態から、図１（ｂ）に示すように、表示画像１２２が浮かび上がってきたような態様で表示させ、更にその状態から、図１（ｃ）に示したように、表示画像１２２の表示には全く影響を与えずに、追加画像１２４を表示したり、表示を消したりすることが可能となっている。
【００４６】
加えて、表示画像ＬＥＤ１６２には白色ＬＥＤが用いられており、追加画像ＬＥＤ１６４には赤色ＬＥＤが用いられていることから、表示画像１２２が白く光って表示されている状態で、追加画像１２４を赤く光らせて表示したり、消したりすることが可能となる。しかも、追加画像１２４は透明インクで印刷されており、非表示の状態では、ほとんど気付かれないことから、追加画像１２４を表示すると、何もないところから追加画像１２４が赤く光って浮き上がって来たような印象を与え、逆に追加画像１２４を消すと、追加画像１２４が掻き消えたような印象を与える。このため、表示画像１２２を表示した後も、非常に印象深い態様で表示を続けることが可能となっているのである。
【００４７】
Ｃ．変形例  ：
以上に説明した本実施例の表示装置１００には、種々の変形例が存在している。以下では、これらの変形例について簡単に説明する。
【００４８】
Ｃ−１．第１の変形例  ：
上述した実施例では、表示画像透明板１１２および追加画像透明板１１４は、それぞれ１枚ずつ設けられているものとして説明した。しかし、表示画像透明板１１２および追加画像透明板１１４の何れについても、複数枚設けることとしても良い。
【００４９】
図６は、２枚の追加画像透明板１１３，１１４を備えた第１の変形例の表示装置１００の構成を示した説明図である。図６（ａ）では、斜線を付した表示画像透明板１１２を挟むようにして、両側に一枚ずつ、追加画像透明板１１３，１１４が設けられている様子が示されている。また、図６（ｂ）には、斜線を付した表示画像透明板１１２の片側に、２枚の追加画像透明板１１３，１１４が設けられている様子が示されている。これら複数枚の追加画像透明板１１３，１１４の表面には、透明インクによる追加画像１２３，１２４を印刷しておき、また、新たに追加された追加画像透明板１１３の端面に向かい合う位置には、ベース部１５０の底部に、複数の追加画像ＬＥＤ１６３を一列に設けておく。このようにしておけば、表示画像透明板１１２の表面に透明インクで印刷された表示画像１２２を光らせて表示した状態で、追加画像透明板１１３の表面に透明インクで印刷された追加画像１２３や、追加画像透明板１１４の表面に透明インクで印刷された追加画像１２４を表示したり、消したりすることが可能となる。
【００５０】
図７は、第１の変形例の表示装置１００で画像を表示する様子を例示した説明図である。図７（ａ）には、表示部１１０をベース部１５０に装着しただけで、画像を表示していない状態が示されている。この状態から表示画像ＬＥＤ１６２を点灯すると、図７（ｂ）に示すように、表示画像透明板１１２に印刷された表示画像１２２（クリスマスツリーの画像）を光らせて表示することができる。更にこの状態から、追加画像ＬＥＤ１６４を点灯すれば、図７（ｃ）に示したように、追加画像透明板１１４に印刷された追加画像１２４（Ｍｅｒｒｙ！Ｘｍａｓ！という文字の画像）を光らせて表示することができる。あるいは、新たに追加された追加画像ＬＥＤ１６３を点灯すれば、追加画像透明板１１３の追加画像１２３（雪が降る様子の画像）を表示することができる。
【００５１】
このように、表面に透明インクによる追加画像１２３，１２４が印刷された複数の追加画像透明板１１３，１１４を設けておけば、光らせる追加画像１２３，１２４を切り換えることにより、あるいは複数の追加画像１２３，１２４を同時に光らせることによって、表示部１１０に表示された画像を変化させることができるので、表示画像１２２を表示した後も、人目を引き付ける態様で画像を表示することが可能となる。
【００５２】
尚、上述した第１の変形例においても、表示画像ＬＥＤ１６２や、追加画像ＬＥＤ１６３，１６４は、同じ色の光を放射するＬＥＤとしても良いが、異なる色の光を放射するＬＥＤを用いることができる。例えば、図７に示した例では、表示画像ＬＥＤ１６２には緑色の光を放射する緑色ＬＥＤを用い、追加画像ＬＥＤ１６４には赤色の光を放射する赤色ＬＥＤを用い、更に、追加画像ＬＥＤ１６３には白色の光を放射する白色ＬＥＤを用いれば、表示画像１２２（クリスマスツリーの画像）を緑色に光らせて表示した状態で、「Ｍｅｒｒｙ！Ｘｍａｓ！」の追加画像１２４を赤く光らせて表示したり、あるいは雪の降る様子を表す追加画像１２３を白く光らせて表示したりすることができる。こうすることで、単に表示画像１２２を表示するよりも、より一層人目を引き付ける態様で画像を表示することが可能となる。
【００５３】
Ｃ−２．第２の変形例  ：
上述した実施例の表示部１１０では、いわゆるフルカラーの表示画像１２２を表示することはできない。しかし、３枚の透明板を重ね合わせて１枚の表示画像透明板１１２を構成すれば、フルカラーの表示画像１２２を表示することも可能となる。尚、ここで言う「フルカラーの画像」とは、一般的なカラー写真のように、幾つかの色だけでなく、それらの色が混ざることによって得られる中間的な色も含むようなカラー画像のことである。
【００５４】
図８は、３枚の透明板を重ねることで、フルカラーの表示画像１２２を表示可能とした表示画像透明板１１２を示した説明図である。以下、フルカラーの表示画像１２２を表示する原理について説明する。
【００５５】
周知のようにフルカラーの画像は、Ｒ（赤）色の画像、Ｇ（緑）色の画像、Ｂ（青）色の画像を重ねることによって表示することができる。また、フルカラーの画像を、Ｒ色の画像、Ｇ色の画像、Ｂ色の画像に分解することは、「分版」と呼ばれている。そこで先ず初めに、表示しようとするフルカラーの表示画像１２２を、Ｒ色の画像、Ｇ色の画像、Ｂ色の画像に分版する。そして、Ｒ色の画像（以下、Ｒ表示画像１２２Ｒ）はＲ用の表示画像透明板１１２Ｒに、Ｇ色の画像（以下、Ｇ表示画像１２２Ｇ）はＧ用の表示画像透明板１１２Ｇに、Ｂ色の画像（以下、Ｂ表示画像１２２Ｂ）はＢ用の表示画像透明板１１２Ｂに、それぞれ透明インクを用いて印刷しておく。
【００５６】
こうして形成したＲ用の表示画像透明板１１２Ｒ、Ｇ用の表示画像透明板１１２Ｇ、Ｂ用の表示画像透明板１１２Ｂを重ね合わせて、１枚の表示画像透明板１１２を構成する。尚、このときも、複数の表示画像透明板１１２Ｒ，１１２Ｇ，１１２Ｂを重ね合わせた時に、互いの表面同士が接触しないように、表示画像透明板１１２Ｇ，１１２Ｂの表面には小さな突起１１６が形成されている。こうして、３枚の表示画像透明板１１２Ｒ，１１２Ｇ，１１２Ｂを重ねて形成した表示画像透明板１１２に対して、更に、追加画像透明板１１４を重ねることによって表示部１１０を構成した後、得られた表示部１１０を、ベース部１５０の上面に設けられた溝に装着する。
【００５７】
図９は、第２の変形例の表示部１１０が、ベース部１５０の溝１５４に装着されている様子を示した説明図である。図９に示されているように、第２の変形例の表示部１１０は、４枚の透明板（すなわち、３枚の表示画像透明板１１２Ｒ，１１２Ｇ，１１２Ｂと、１枚の追加画像透明板１１４）から構成されていることに対応して、第２の変形例のベース部１５０の溝１５４には、４列のＬＥＤが設けられている。このうち、Ｒ用の表示画像透明板１１２Ｒの端面と向き合う位置のＬＥＤ列は、赤色の光を放射する複数の赤色ＬＥＤ１６２Ｒによって構成されている。また、Ｇ用の表示画像透明板１１２Ｇの端面と向き合う位置のＬＥＤ列は、緑色の光を放射する複数の緑色ＬＥＤ１６２Ｇによって構成されており、Ｂ用の表示画像透明板１１２Ｂの端面と向き合う位置のＬＥＤ列は、青色の光を放射する複数の青色ＬＥＤ１６２Ｂによって構成されている。尚、追加画像透明板１１４の端面と向き合う位置のＬＥＤ列については、どのような光を発するＬＥＤを用いても良い。ここでは、赤色ＬＥＤと緑色ＬＥＤと青色ＬＥＤとを組み合わせて構成した３色ＬＥＤ１６４によって構成されているものとする。
【００５８】
このように、Ｒ用の表示画像透明板１１２Ｒの端面には赤色ＬＥＤ１６２Ｒを向かい合わせた状態で、赤色ＬＥＤ１６２Ｒを点灯すれば、赤色の光がＲ用の表示画像透明板１１２Ｒの内部に入射され、透明インクで印刷されたＲ画像を赤色に浮き上がらせることができる。同様に、Ｇ用の表示画像透明板１１２Ｇの端面には緑色ＬＥＤ１６２Ｇを向かい合わせ、Ｂ用の表示画像透明板１１２Ｂの端面には青色ＬＥＤ１６２Ｂを向かい合わせた状態で、緑色ＬＥＤ１６２Ｇを点灯すればＧ用の表示画像透明板１１２Ｇに印刷されたＧ画像を緑色に浮き上がらせることができ、青色ＬＥＤ１６４Ｂを点灯すれば、Ｂ用の表示画像透明板１１２Ｂに印刷されたＢ画像を青色に浮き上がらせることができる。その結果、これらＲ画像、Ｇ画像、Ｂ画像が合成されて、透明な表示部１１０にカラー画像が表示されることになる。以上が、３枚の透明板を重ね合わせることで、フルカラーの表示画像１２２を表示する原理である。
【００５９】
図８に示した例では、フルカラーのクリスマスツリーの表示画像１２２から分版されたＲ画像、Ｇ画像、Ｂ画像が、Ｒ用の表示画像透明板１１２Ｒ、Ｇ用の表示画像透明板１１２Ｇ、Ｂ用の表示画像透明板１１２Ｂに透明インクで印刷されている。従って、これら３枚の透明板を重ねて１枚の表示画像透明板１１２を形成してやれば、フルカラーのクリスマスツリーを表示可能な表示画像透明板１１２を構成することができる。そして、その上に、透明インクで追加画像１２４を印刷した追加画像透明板１１４を重ね合わせることによって、表示部１１０を形成する。こうして得られた表示部１１０を、図９に示すベース部１５０に装着してやれば、フルカラーのクリスマスツリーの表示画像１２２を浮き上がらせて表示した状態で、追加画像１２４（例えば、図１に例示したような「Ｍｅｒｒｙ！Ｘｍａｓ！」の文字の画像）を光らせて表示したり、表示を消したりすることができる。図１０には、フルカラーのクリスマスツリーの表示画像１２２を表示した状態で、「Ｍｅｒｒｙ！Ｘｍａｓ！」という文字の追加画像１２４を表示した様子が概念的に示されている。例えば、先端に取り付けられた星の飾りは金色に表示し、葉の部分は深い緑色に表示し、幹の部分は茶色といったように、図１（ｃ）に示した単色のクリスマスツリーとは異なって、非常に印象深い態様で表示画像１２２を表示することができる。この状態で、更に、「Ｍｅｒｒｙ！Ｘｍａｓ！」の文字を浮かび上がらせて表示したり、掻き消したりすることができるので、非常に人目を引き易い態様で表示することが可能となる。
【００６０】
加えて、第２の変形例では、追加画像透明板１１４の端面に設けられた追加画像ＬＥＤ１６４は、赤色ＬＥＤと緑色ＬＥＤと青色ＬＥＤとを組み合わせて構成した３色ＬＥＤ１６４が用いられている。従って、赤色ＬＥＤ、緑色ＬＥＤ、青色ＬＥＤの電流値を変更して赤色、緑色、青色の光の強さを変えることにより、追加画像１２４の色を自由に変更することが可能となる。例えば、追加画像１２４の色が、赤色から、橙色や黄色などの中間色を経て、次第に緑色に変化したり、あるいは、追加画像１２４が表示される度に異なる色で表示したりすることも可能となる。その結果、より一層、人目を引き易い態様で表示部１１０に画像を表示することが可能となる。
【００６１】
以上、本発明について各種の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【図面の簡単な説明】
【００６２】
【図１】本実施例の表示装置の大まかな構成を示した説明図である。
【図２】本実施例の表示装置で用いられている表示部の大まかな構造を示した説明図である。
【図３】本実施例の表示装置で用いられているベース部の大まかな構造を示した説明図である。
【図４】表示部をベース部の溝に装着した時の表示画像透明板および追加画像透明板の端面と、表示画像ＬＥＤおよび追加画像ＬＥＤとの位置関係を示した説明図である。
【図５】表示部を構成する表示画像透明板あるいは追加画像透明板の端面から光を入射することで、表面に透明インクで印刷された表示画像や追加画像が浮かび上がるように表示される原理を示した説明図である。
【図６】２枚の追加画像透明板を備えた第１の変形例の表示装置の構成を示した説明図である。
【図７】第１の変形例の表示装置で画像を表示する様子を例示した説明図である。
【図８】３枚の透明板を重ねることでフルカラーの表示画像を表示可能とした第２の変形例の表示部の構成を示した説明図である。
【図９】第２の変形例の表示部がベース部の溝に装着されている様子を示した説明図である。
【図１０】第２の変形例でフルカラーの表示画像の上に追加画像を表示している様子を例示した説明図である。
【符号の説明】
【００６３】
１００…表示装置、    １１０…表示部、    １１２…表示画像透明板、
１１３，１１４…追加画像透明板、    １１６…突起、    １１８…測板、
１２２…表示画像、    １２３，１２４…追加画像、
１２２ｐ、１２４ｐ…光散乱微粒子、    １５０…ベース部、
１５２…操作スイッチ、    １５４…溝、    １６２，１６３…表示画像ＬＥＤ、
１６４…追加画像ＬＥＤ
【図１】
2010054698.tif 000003
【図２】
2010054698.tif 000004
【図３】
2010054698.tif 000005
【図４】
2010054698.tif 000006
【図５】
2010054698.tif 000007
【図６】
2010054698.tif 000008
【図７】
2010054698.tif 000009
【図８】
2010054698.tif 000010
【図９】
2010054698.tif 000011
【図１０】
2010054698.tif 000012